【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
コンテンションベースの（ＣＢ）アップリンク通信チャネルにアクセスするＷＴＲＵ（無線送受信ユニット）により実施される方法であって、
前記ＣＢアップリンク通信チャネルへのアクセスのルールベースの制限に基づき、アップリンク送信について、前記ＣＢアップリンク通信チャネルまたはコンテンションのないアップリンクチャネルアロケーションを選択するステップと、
前記ルールベースの制限のうちの少なくとも１つのルールが満たされるという条件で、前記ＣＢアップリンク通信チャネルへのアクセスを制限するステップと、
アップリンクのコンテンションベースのリソース使用量およびアップリンクのコンテンションのないリソース使用量の統計量をモニタするステップと、
前記モニタされた統計量に基づいて、前記ＣＢアップリンク通信チャネルを使用すべきかどうかを判定するステップと、
を含む方法。
【請求項２】
前記ルールベースの制限は、コンテンションのないチャネルについてのスケジューリング要求が送信された後のサブフレーム数に基づく、請求項１に記載の方法。
【請求項３】
前記ルールベースの制限は、ＢＳＲ（バッファ状態報告）の成功裡の送信以降のサブフレームの数に基づく、請求項１に記載の方法。
【請求項４】
前記ルールベースの制限は、設定された数のフレーム内のアップリンク共有チャネルの送信に基づく、請求項１に記載の方法。
【請求項５】
前記モニタするステップに基づいて、前記ＣＢアップリンク通信チャネルへのアクセスの確率を判定するステップをさらに含む、請求項１に記載の方法。
【請求項６】
前記ＷＴＲＵが、前記ＣＢアップリンク通信チャネルでデータを送信し、トリガされたＢＳＲを取り消すステップをさらに含む、請求項１に記載の方法。
【請求項７】
前記ＷＴＲＵは、保留中のＳＲ（スケジューリング要求）を有し、
有効なＣＢアップリンク許可を受信するステップと、
サブフレームで、ＣＢアップリンク通信チャネルにおいて送信するステップと、
前記サブフレームでのＲＡＣＨ（random access channel）プリアンブル送信を取り消すステップと、
をさらに含む、請求項１に記載の方法。
【請求項８】
前記ＷＴＲＵは、保留中のＳＲ（スケジューリング要求）を有し、
有効なＣＢアップリンク許可を受信するステップと、
サブフレームで、ＲＡＣＨプリアンブルを送信するステップと、
前記サブフレームでの前記ＣＢアップリンク通信チャネルにおける送信を禁止するステップと、
をさらに含む、請求項１に記載の方法。
【請求項９】
サブフレームについての複数のアップリンク許可を受信するステップを含み、Ｃ−ＲＮＴＩ（セル無線ネットワーク一時識別子）または前記ＷＴＲＵの一時的なＣ−ＲＮＴＩについて少なくとも１つのコンテンションのない許可が受信されるという条件で、前記ＷＴＲＵは前記ＣＢアップリンク通信チャネルにて送信しない、請求項１に記載の方法。
【請求項１０】
サブフレームについての複数のアップリンク許可を受信するステップをさらに含み、
少なくとも１つのアップリンク許可が受信されて、前記ＷＴＲＵのＳＰＳ（半永続的スケジューリング）  Ｃ−ＲＮＴＩについてのコンテンションのないアップリンクチャネルにおいてＳＰＳを初期化するという条件で、前記ＷＴＲＵは前記ＣＢアップリンク通信チャネルにて送信しない、請求項１に記載の方法。
【請求項１１】
サブフレームについての複数のアップリンク許可を受信するステップをさらに含み、
前記ＷＴＲＵが、ＮＡＣＫを受信することに応じて前記サブフレームで非適応型の再送信を実行すべきであるという条件で、前記ＷＴＲＵは前記ＣＢアップリンク通信チャネルにて送信しない、請求項１に記載の方法。
【請求項１２】
コンテンションベースの（ＣＢ）アップリンク通信チャネルにアクセスし、
前記ＣＢアップリンク通信チャネルへのアクセスのルールベースの制限に基づき、アップリンク送信について、前記ＣＢアップリンク通信チャネルまたはコンテンションのないアップリンクチャネルアロケーションを選択し、
前記ルールベースの制限のうちの少なくとも１つのルールが満たされるという条件で、前記ＣＢアップリンク通信チャネルへのアクセスを制限し、
アップリンクのコンテンションベースのリソース使用量およびアップリンクのコンテンションのないリソース使用量の統計量をモニタし、
前記モニタされた統計量に基づいて、前記ＣＢアップリンク通信チャネルを使用すべきかどうかを判定する
ように構成されたプロセッサを備えるＷＴＲＵ（無線送受信ユニット）。
【請求項１３】
前記ルールベースの制限は、スケジューリング要求が送信された後のサブフレーム数に基づく、請求項１２に記載のＷＴＲＵ。
【請求項１４】
前記ルールベースの制限は、ＢＳＲ（バッファ状態報告）の成功裡の送信以降のサブフレームの数に基づく、請求項１２に記載のＷＴＲＵ。
【請求項１５】
前記ルールベースの制限は、設定された数のフレーム内のアップリンク共有チャネルの送信に基づく、請求項１２に記載のＷＴＲＵ。
【請求項１６】
前記プロセッサは、前記モニタすることに基づいて、前記ＣＢアップリンク通信チャネルへのアクセスの確率を判定する、請求項１２に記載のＷＴＲＵ。
【請求項１７】
前記プロセッサは、前記ＣＢアップリンク通信チャネルでデータを送信し、トリガされたＢＳＲを取り消すようにさらに構成された、請求項１２に記載のＷＴＲＵ。
【請求項１８】
前記プロセッサは、保留中のＳＲ（スケジューリング要求）を有し、
前記プロセッサは、有効なＣＢアップリンク許可を受信し、
サブフレームで、ＣＢアップリンク通信チャネルにおいて送信し、
前記サブフレームでのＲＡＣＨ（random access channel）プリアンブル送信を取り消す
ようにさらに構成された、請求項１２に記載のＷＴＲＵ。
【請求項１９】
前記プロセッサは、保留中のＳＲ（スケジューリング要求）を有し、
前記プロセッサは、有効なＣＢアップリンク許可を受信し、
サブフレームで、ＲＡＣＨプリアンブルを送信し、
前記サブフレームでの前記ＣＢアップリンク通信チャネルにおける送信を禁止する
ようにさらに構成された、請求項１２に記載のＷＴＲＵ。
【請求項２０】
前記プロセッサは、サブフレームについての複数のアップリンク許可を受信するようにさらに構成され、
Ｃ−ＲＮＴＩ（セル無線ネットワーク一時識別子）または前記ＷＴＲＵの一時的なＣ−ＲＮＴＩについて少なくとも１つのコンテンションのない許可が受信されるという条件で、前記プロセッサは前記ＣＢアップリンク通信チャネルにて送信しないと決定する、請求項１２に記載のＷＴＲＵ。
【請求項２１】
前記プロセッサは、サブフレームについての複数のアップリンク許可を受信するようにさらに構成され、
少なくとも１つのアップリンク許可が受信されて、前記ＷＴＲＵのＳＰＳ（半永続的スケジューリング）  Ｃ−ＲＮＴＩについてのコンテンションのないアップリンクチャネルにおいてＳＰＳを初期化するという条件で、前記プロセッサは前記ＣＢアップリンク通信チャネルにて送信しないと決定する、請求項１２に記載のＷＴＲＵ。
【請求項２２】
前記プロセッサは、サブフレームについての複数のアップリンク許可を受信するようにさらに構成され、
前記ＷＴＲＵが、ＮＡＣＫを受信することに応じて前記サブフレームで非適応型の再送信を実行すべきであるという条件で、前記プロセッサは前記ＣＢアップリンク通信チャネルにて送信しないと決定する、請求項１２に記載のＷＴＲＵ。